(57)【要約】【課題】      閉蓋状態で蓋体をより強くロックすることができ、且つ、係合片のヘタリが少なく、しかも使用後に廃棄する際にも環境を害することのない紙容器を提供することを目的とする。【解決手段】  上面に開口を有する箱体と該開口を覆い得る蓋体とを背面側でヒンジ結合し、蓋体に形成した係合片を箱体に形成した係合穴に係合可能とした紙容器であって、蓋体の前板に伸長部を設け、該伸長部をその上下方向中間部であって、折り返し後に該伸長部の先端部分が係合穴と係合可能となる長さだけ該伸長部の基端部より突出する位置で内側に折り返してあり、該伸長部の折り返しにより重畳した部分を接合してつまみ片を形成すると共に、該伸長部の先端部分の非接合部分で係合片を形成し、且つ該伸長部の基端部を屈曲可能とした紙容器。【選択図】    図４
2006327619.tif 000002
【特許請求の範囲】
【請求項１】
上面に開口を有する箱体と該開口を覆い得る蓋体とを背面側でヒンジ結合し、蓋体に形成した係合片を箱体に形成した係合穴に係合可能とした紙容器であって、蓋体の前板に伸長部を設け、該伸長部をその上下方向中間部であって、折り返し後に該伸長部の先端部分が係合穴と係合可能となる長さだけ該伸長部の基端部より突出する位置で内側に折り返してあり、該伸長部の折り返しにより重畳した部分を接合してつまみ片を形成すると共に、該伸長部の先端部分の非接合部分で係合片を形成し、且つ該伸長部の基端部を屈曲可能とした紙容器。
【請求項２】
前記係合穴の上縁部において、箱体の正面板又はフラップにエンボスを形成することにより、箱体の正面板とフラップとの間に空隙を形成し、係合片を該空隙に挿入可能とした請求項１に記載の紙容器。
【請求項３】
蓋体の前板の前記係合片に相対する部位に、係合状態を視認するための覗き穴を形成した請求項１又は２に記載の紙容器。
【発明の詳細な説明】
【技術分野】
【０００１】
本発明は、箱体と蓋体とを背面側でヒンジ結合し、係合片と係合穴とで係合可能とした粉・粒体用の紙容器に関する。
【背景技術】
【０００２】
家庭用洗剤等の粉・粒体用の容器として、上方に開口を有する箱体と該箱体の開口を覆い得る蓋体とを背面側でヒンジ結合し、且つ蓋体に形成した係合片と箱体に形成した係合穴とで係合可能とした紙容器が多く使用されている。
【０００３】
この紙容器における蓋体に係合片を設ける方法としては、種々の方法が用いられているが、蓋体の前板に設けた伸長部を内側に折り返して係合片を形成し、箱体の正面板に設けた係合穴に係合片を係合する方法がある（例えば、特許文献１及び２参照）。
【０００４】
しかしながら、これら従来公知の方式では、係合片は蓋体の前板に設けた伸長部を単に内側に折り返して形成しているのであるから、ロック状態は必ずしも十分でなく、しかも、係合片の動きは折り返し箇所を介して行われることから、使用を重ねると係合片にヘタリを生じ易く、容器重量を支えきれずに係合が不必要に外れて、蓋体が開く恐れがある。
【０００５】
【特許文献１】特表２００２−５３８０５０号公報
【特許文献２】特開２００１−３１５７６８号公報
【発明の開示】
【発明が解決しようとする課題】
【０００６】
本発明は、上記背景技術の問題点に鑑み、閉蓋状態で蓋体をより強くロックすることができ、且つ、繰り返し使用による係合片のヘタリが少なく、しかも使用後に廃棄する際にも環境への影響の少ない紙容器を提供することを目的とする。
【課題を解決するための手段】
【０００７】
本発明者らは、蓋体の前板に設けた伸長部を折り返して係合片を形成する際に、折り返した伸長部の重畳部分を接合すること、及び伸長部の基端部を屈曲可能とすることにより、その課題を解決しうることを着想した。
即ち本発明は、
上面に開口を有する箱体と該開口を覆い得る蓋体とを背面側でヒンジ結合し、蓋体に形成した係合片を箱体に形成した係合穴に係合可能とした紙容器であって、蓋体の前板に伸長部を設け、該伸長部をその上下方向中間部であって、折り返し後に該伸長部の先端部分が係合穴と係合可能となる長さだけ該伸長部の基端部より突出する位置で内側に折り返してあり、該伸長部の折り返しにより重畳した部分を接合してつまみ片を形成すると共に、該伸長部の先端部分の非接合部分で係合片を形成し、且つ該伸長部の基端部を屈曲可能とした紙容器である。
【発明の効果】
【０００８】
本発明の紙容器は、閉蓋状態で蓋体をより強くロックすることができ、且つ、繰り返し使用による係合片のヘタリが少なく、しかも使用後に廃棄する際にも環境を害することのないものである。
【発明を実施するための最良の形態】
【０００９】
図１及び図２は、本発明の紙容器の斜視図である。
図１及び図２に示すように、本発明の紙容器１０は、箱体１１と蓋体１２からなる。
箱体１１は、正面板１１Ａ、背面板１１Ｂ、両側面板１１Ｃ、底面板１１Ｄを有し、上面に開口１１Ｅを有している。正面板１１Ａ、背面板１１Ｂ、両側面板１１Ｃの上辺には、折目線を介して正面板フラップ１１ＡＦ、背面板フラップ１１ＢＦ、両側面板フラップ１１ＣＦを各々設けており、各々折目線を介して内側又は外側に折り返して重畳部分を全面的又は部分的に接着し、箱体２の開口１１Ｅを補強している。
尚、図１及び図２は、フラップを全て内側に折り返した箱体の例を示している。
【００１０】
一方、蓋体１２は、前板１２Ａ、後板１２Ｂ、両側板１２Ｃ、天板１２Ｄを有しており、後板１２Ｂに設けたヒンジ結合部１２Ｅを箱体１１の背面板１１Ｂに接着して、箱体１１の開口１１Ｅを覆う形での開閉を自在としている。
但し、蓋体１２は箱体１１の背面板１１Ｂを延長し、背面板１１Ｂの上端部にヒンジ罫線を設け、内側に折り返すことにより、箱体１１と一体に形成することもできる。その場合には、箱体１１の背面板１１Ｂのフラップ１１ＢＦ及びヒンジ結合部１２Ｅは存在しない。
【００１１】
蓋体１２の前板１２Ａには係合片２０が設けられ、箱体１１の正面板１１Ａには係合穴３０が設けられていて、それらが係合することにより、蓋体１２が箱体１１に固定されるが、本発明は、これらの係合片２０及び係合穴３０の形状・構造に特徴を有するものである。
【００１２】
図３及び図４は、本発明の紙容器における蓋体の正面図であり、図３は係合片を形成する前の状態を、図４は係合片を形成した後の状態を示している。
図３に示すように、蓋体１２の前板１２Ａに伸長部２１が設けられている。伸長部２１は上下方向中間部２２から内側に折り返すが、その上下方向中間部２２は、図４に示すように、折り返し後において伸長部２１の先端部分が係合片２０として係合穴３０と係合可能な長さＸだけ基端部２３より突出し得る位置である。
【００１３】
図５は、図４におけるＡ−Ａ' 線断面図である。図５に示すように、伸長部２１の内側への折り返しにより重畳した部分を、接着剤等で接合してつまみ片２４を形成すると共に、基端部２３より突出した部分で係合片２０を形成する。更に、基端部２３において屈曲可能とする。
このように、つまみ片２４は、折り返しにより重畳した部分を、接着剤等で接合して形成されているので、その強度は倍増しており、又、つまみ片２４及びそれと一体の係合片２０の動きは、屈曲可能とした基端部２３を介して行われるので、へたりが生じたり破損することがない。また、基端部２３において屈曲可能としているため、係合片２０と係合穴３０との係合を極めて簡単に行うことができる。
【００１４】
本発明の紙容器においては、係合片２０と係合穴３０との係合は、特許文献１及び特許文献２に示されているように、係合片の先端を係合穴の係合端面に掛ける形を採ることもできるが、係合穴３０の上縁部において正面板と正面板フラップとの間に形成した空隙に係合片を挿入する形で行うのが、係合がより強固に行えるので好ましい。
図６及び図７は、図２におけるB−Ｂ' 線断面図であって、係合穴３０の上縁部においてフラップとの間に空隙を形成する方法とその場合の係合片と係合穴との接合状態の異なった２つの例を示す断面図である。
図６及び図７において、係合穴３０は、箱体１１の正面板１１Ａに抜き穴を設けることにより形成されており、内側は内折りフラップ１１ＡＦにより塞がれている。例えば、正面板１１Ａとフラップ１１ＡＦとの間を接着剤等によって、好ましくは隙間なく貼り付けることで、箱体１１に収容された収容物が係合穴３０から漏れることを防止する。
【００１５】
図６に示す例においては、箱体１１の正面板１１Ａの内折りフラップ１１ＡＦの係合穴３０に相対する部位を内側に膨らんだエンボスとすることにより、係合穴３０の上縁部３１において内折りフラップ１１ＡＦとの間に空隙を形成している。
一方、図７に示す例においては、係合穴３０の上縁部３１を外側に膨らんだエンボスとすることにより、係合穴３０の上縁部３１において内折りフラップ１１ＡＦとの間に空隙を設けている。
そして、図６及び図７に示すように、上記のようにして設けた空隙に係合片２０を挿入する形で、係合を行う。
【００１６】
係合片２０と係合穴３０とによる係合は、紙容器の正面の複数個所で行ってもよいが、取り扱いの容易さからは、図１及び図２の如く正面の中央の１箇所で行う形が好ましい。
係合片２０の形状については、特に制限はないが、係合穴３０の空隙への挿入を容易にするためには、上部が狭まった凸状（山状、円弧状、逆Ｖ字状を含む）とするのが好ましく、係合穴３０の形状は、このような形状の係合片２０が容易に挿入し得る形状である限り、特に制限はない。
【００１７】
係合片２０の長さ（図４におけるＸ）は、係合穴３０の空隙に挿入して係合させ得る長さであればよく特に制限はない。また、つまみ片２４の長さ（図４におけるＹ）は、指でつまみ得る長さとするのが適当である。
【００１８】
本発明の紙容器においては、図１及び図２に示すように、蓋体１２の前板１２Ａの係合片２０に相対する部位に、係合状態を視認するための覗き穴１２Ｆを形成することができる。覗き穴１２Ｆの形状・大きさは、係合状態を視認し得るものであれば特に制限はなく、形状については、図１及び図２に示すような円形の他、正方形、長方形、三角形等の種々の形状を選ぶことができる。
【００１９】
本発明の紙容器は、種々の粉・粒体の容器として使用できるが、特に家庭用の粉状洗剤の容器として好適である。
家庭用の粉状洗剤は、通常５００ｇ〜２．５ｋｇ、好ましくは１〜２ｋｇ程度の単位で包装される。粉状洗剤用の容器とする場合、本発明の紙容器の材質は、箱体、蓋体共に、対環境性、廃棄時の焼却性、取り扱いの便宜上の観点から、紙単体、又は、紙を主材料としプラスチックフィルムをラミネートした積層素材からなる、坪量３５０〜７００ｇ／ｍ2、厚さ０．３〜１．１ｍｍであることが好ましい。
【００２０】
本発明の紙容器を使用する場合、所定量の粉状洗剤等の粉・粒体を充填した後、箱体の上面を封緘紙で覆い、箱体の上辺に一定幅に貼り付けることにより密封し、蓋体１２を被せ、更に、蓋体の係合片２０又はつまみ片２４を箱体１１側の相対部分に接着剤等で部分接着して流通に供する。
内容物である粉状洗剤等の粉・粒体を使用する際には、未開封の箱体１１に被せられた蓋体１２の係合片２０又はつまみ片２４を部分接着した部分で引き剥がし、蓋体１２をヒンジ結合部１２Ｅを介して回転させて開き、更に封緘紙を剥がして必要量の粉状洗剤等の粉・粒体を計量スプーン等ですくう等の手段で取り出す。
尚、図８に示すように、未開封の箱体１１に蓋体１２の係合片２０又はつまみ片２４を接着剤等で部分接着した箇所の周囲にミシン目（又は切り込み線と点付き部分）等による切断誘導線２６により区画された切り離し部２５を形成することによって、開封時に切断誘導線２６に沿って箱体１１の一部である切り離し部２５が切離され、切離された穴部を係合穴３０とすることも可能である。（図８は、つまみ片２４を部分接着した箇所の周囲に切断誘導線２６により区画された切り離し部２５を形成した例である。）
【００２１】
使用後は、蓋体１２を箱体１１に再び被せ、蓋体１２の係合片２０と箱体１１の係合穴３０とで係合し、蓋体１２を固定する。
この状態から、係合を解除して蓋体１２を開く場合には、つまみ片２４を指で持って屈曲部を介して回転させる方向に引けばよく、それにより係合片２０と係合穴３０との係合容易に解くことができる。
なお、係合片２０又はつまみ片２４を部分接着した部分で引き剥がすと、箱体１１側の相対部分に痕が残るが、その部分は蓋体を被せることに隠れるので、美観を損なうことはない。また、係合片２０又はつまみ片２４と接着した箱体１１の一部である切り離し部２５を切断誘導線２６に沿って切離した場合には、係合片２０又はつまみ片２４と箱体１１の接着した部分の剥離痕が露出することがないから、蓋体１２を開いた状態でも美観を損なうことはない。また、箱体１１の一部である切り離し部２５を切断誘導線２６に沿って切離した場合には、伸長部２１の折り返しによる重畳に加えて、箱体１１から切離された切り離し部２５が接着された３枚板で構成する強固な係合片２０又はつまみ片２４を形成する。
【００２２】
箱体１１又は蓋体１２には、取り扱いの便宜を考慮して、吊り手、把手等の把持部（図示せず）を設けることもできる。例えば、把持部は、箱体１１の両側面板１１Ｃに付設してもよく、又、蓋体１２の両側板１２Ｃ又は天板１２Ｄの外表面に付設してもよい。
把持部の材質は、特に制限はなく、箱体１１、蓋体１２と同様に、紙単体、又は、紙を主材料としプラスチックフィルムをラミネートした積層素材を使用してもよいし、ポリオレフィン樹脂等の厚手のシートを用いてもよい。
【００２３】
本発明の紙容器は、上記のように構成されているので、以下のような作用効果を有している。
（１）係合片と係合穴との係合が容易であって、閉蓋状態で蓋体をより強くロックすることができる。
（２）係合片を直接指で持つのではなく、係合片と一体でしかも２層が接合されて形成されたつまみ片を指でもち、且つ屈曲部を介して回転させることにより、係合片を動かすので、繰り返し使用によるヘタリがない。
（３）使用時までは、係合片又はつまみ片を箱体側に部分接着しておくが、使用に際して部分接着した部分で引き剥がした痕は、蓋体を被せることに隠れるので、美観を損なうことはない。
【産業上の利用可能性】
【００２４】
本発明の紙容器は、粉・粒体用を収納するための紙容器として利用することができるが、特に、５００〜２．５ｋｇ、好ましくは１〜２ｋｇ程度の粉末洗剤を収納する、家庭用の粉状洗剤の容器として好適である。
【図面の簡単な説明】
【００２５】
【図１】本発明の紙容器の１態様の開蓋状態を示す斜視図である。
【図２】本発明の紙容器の１態様の閉蓋状態を示す斜視図である。
【図３】本発明の紙容器における蓋体に係合片を形成する前の状態を示す正面図である。
【図４】本発明の紙容器における蓋体に係合片を形成した後の状態を示す正面図である。
【図５】図４におけるＡ−Ａ'  線断面図である。
【図６】図２におけるＢ−Ｂ'  線断面図である。
【図７】図２におけるＢ−Ｂ'  線断面図である。
【図８】箱体に係合穴を形成する方法の１例を示す正面図である。
【符号の説明】
【００２６】
１０：紙容器    １１：箱体
１１Ａ：箱体の正面板    １１ＡＦ：箱体の正面板フラップ
１１Ｂ：箱体の背面板    １１ＢＦ：箱体の背面板フラップ
１１Ｃ：箱体の両側面板    １１ＣＦ：箱体の両側面板フラップ
１１Ｄ：箱体の底面板    １１Ｅ：開口    １２：蓋体    １２Ａ：蓋体の前板
１２Ｂ：蓋体の後板    １２Ｃ：蓋体の両側板    １２Ｄ：蓋体の天板
１２Ｅ：ヒンジ結合部    １２Ｆ：覗き穴    ２０：係合片    ２１：伸長部
２２：上下方向中間部（折り返し部）    ２３：基端部（屈曲部）    ２４：つまみ片  
２５：切り離し部    ２６：切断誘導線    ３０：係合穴    ３１：係合穴上縁部
【図１】
2006327619.tif 000003
【図２】
2006327619.tif 000004
【図３】
2006327619.tif 000005
【図４】
2006327619.tif 000006
【図５】
2006327619.tif 000007
【図６】
2006327619.tif 000008
【図７】
2006327619.tif 000009
【図８】
2006327619.tif 000010